(57)【特許請求の範囲】
【請求項１】
ケースの一方側に一極当たり一つの端子部を備え、ケースの他方側に一極当たり二つの端子部を備え、ケースの一方側に備えた端子部が、差し込み口を備えるプラグ端子であり、ハンドルを操作して可動接触子を移動させることにより端子部を切り替えて接続する切替開閉器を備えた分電盤であって、
切替開閉器を第一負荷用ブレーカの集合体である第一負荷用分岐ブレーカ群の分岐列にプラグ端子を介して母線バーに接続することで組み込み、
第二負荷用ブレーカの集合体である第二負荷用分岐ブレーカ群に組み込んだ第二負荷用主幹ブレーカを切替開閉器の端子部に接続した分電盤。
【発明の詳細な説明】
【技術分野】
【０００１】
本発明は、分電盤に関するものである。
【背景技術】
【０００２】
特許文献１に記載されているように、商用電源と蓄電池などの分散電源とを切り替えるために切替開閉器を用いることが知られている。このような切替開閉器は商用電源や分散電源からの電源が入力される端子部がねじ端子で構成されており、電線をねじ端子に締め付けることで取り付けていた。切替開閉器は一極あたり、二つの選択端子部と一つの共通端子部を備える構成であり、一極当たり三つの端子部を備えた構成となる。
【先行技術文献】
【特許文献】
【０００３】
【特許文献１】特開２０１５−１９５０８８号公報
【０００４】
ところで、一極当たり三つの端子部に配線を行うと、電線の引き回しや、ねじの締め付けなどの配線作業に手間がかかってしまうという問題があった。また、切替開閉器の周囲に広い配線スペースが必要になるということは、スペースを効率良く使用することの妨げとなっていた。
【発明の概要】
【発明が解決しようとする課題】
【０００５】
本件の発明者は、この点について鋭意検討することにより、解決を試みた。本発明の課題は、切替開閉器部の端子部と電源とを接続する作業を簡略化することである。また、省スペースに寄与することである。
【課題を解決するための手段】
【０００６】
上記課題を解決するため、次のような手段を採用する。第一の手段は、ケースの一方側に一極当たり一つの端子部を備え、ケースの他方側に一極当たり二つの端子部を備える切替開閉器であって、ケースの一方側に備えた端子部が、差し込み口を備えるプラグ端子である切替開閉器である。
【０００７】
第一の手段において、ハンドルの操作方向の一端側に一極当たり一つの端子部を備えるとともに、ハンドルの操作方向の他端側に一極当たり二つの端子部を備え、ハンドルの操作により可動接触子を移動させることにより切り替えて接続される選択端子部を、ケースの一方側と他方側の双方に備えた構成とする第二の手段が好ましい。
【０００８】
第一又は第二の手段において、ハンドルの操作により可動接触子を移動させることにより切り替えて接続される選択端子部をケースの一方側と他方側の双方に備え、可動接触子と常に接続されている共通端子部をケースの他方側に備え、ケースの他方側に備えた選択端子部と共通端子部は、ハンドルの操作方向に対して略同一となる位置に配置されている構成とする第三の手段が好ましい。
【発明の効果】
【０００９】
本発明では、切替開閉器部の端子部と電源とを接続する作業を簡略化することができる。
【図面の簡単な説明】
【００１０】
【図１】第一の実施の形態の切替開閉器をプラグ端子側から見た斜視図である。
【図２】第一の実施の形態の切替開閉器をねじ端子側から見た斜視図である。
【図３】第一の実施の形態の切替開閉器に母線バーを接続した状態を示した側面図である。
【図４】切替開閉器の可動接触子を一方の選択端子部と接続させた状態を示した概念図である。
【図５】切替開閉器の可動接触子を他方の選択端子部と接続させた状態を示した概念図である。
【図６】第一の実施の形態の切替開閉器の平面図である。
【図７】第二の実施の形態の切替開閉器の平面図である。
【図８】第二の実施の形態の切替開閉器の斜視図である。
【図９】第三の実施の形態の切替開閉器の斜視図である。
【図１０】第一の実施の切替開閉器を搭載した分電盤の内部を示した図である。
【発明を実施するための形態】
【００１１】
以下に発明を実施するための形態を示す。先ず、第一の実施の形態について説明する。本実施の形態の切替開閉器１０１は、電源などを切り替えるために使用されるものである。この切替開閉器１０１は、内部部品を覆うケース１１を備えている。また、ケース１１の外側から操作可能なハンドル１２を備えている。このハンドル１２を操作して可動接触子３を移動させることにより選択端子部を切り替えて接続し、使用する電源などを切り替えることができる。図１に示すように、ケース１１の一方側には一極当たり一つの端子部９１を備えている。また、図２に示すように、ケース１１の他方側には一極当たり二つの端子部９２，９３を備えている。このうち、ケース１１の一方側に備えた端子部９１が、差し込み口を備えるプラグ端子である。差し込み口を備えるプラグ端子を用いれば、図３に示すように、電源に接続されている板状の母線バー８２をプラグ端子に挿入するだけで電源と切替開閉器１０１を接続することが可能となる。したがって、プラグ端子とされた端子部９１は電線をねじ固定する必要がなくなり、端子部９１を電源と接続する作業が簡略化される。また、プラグ端子とされた端子部９１に電線を接続する必要がないため、配線スペースが省かれ、省スペースに寄与することが可能となる。なお、本明細書に用いられる一極とは、例えば単相三線の分電盤等で使用される場合にはＬ１極、Ｎ極、Ｌ２極のように異なる母線バーより電力が供給される各極の内の１つの極のことである。
【００１２】
本実施の形態の切替開閉器１０１は、ケース１１の長手方向の一方に、選択端子部を構成するプラグ端子を一極当たり一つ備えている。本実施の形態のプラグ端子は板状の部材を略Ｕ字状の形態としたものであり、その内側の部分に母線バー８２などの板状の部材を嵌め込むことが可能な構成としている。なお、ケース１１の端面１８には左右方向に延びる三つの溝が設けられており、この溝の必要箇所にプラグ端子が嵌め込まれている。
【００１３】
ケース１１の長手方向の他方には、選択端子部を構成する一つのねじ端子と、共通端子部を構成する一つのねじ端子を備えている。ねじ端子は配線と接続されるように構成されたものであり、ねじを締めこんで配線を挟み込むことにより、配線を固定するものである。本実施の形態では、ケース１１の端面１９に沿って、選択端子部が配置されている。
【００１４】
図１には、三つの切替開閉器１０１を連結させて三極対応としたものを示している。この態様では各々の切替開閉器１０１に備えられたハンドル１２を連結することで、把持部１７を構成している。この把持部１７を操作すれば、一度に三つの切替開閉器１０１の切り替えが可能となる。なお、本実施の形態では、三つの切替開閉器１０１は互いに独立しているため、各々の内部機構は繋がっていない。このような構成であるため、図１に示したものを一極毎に分離して使用することができる。
【００１５】
図４は切替開閉器の可動接触子３を一方の選択端子部と接続させた状態を示した概念図である。また、図５は、切替開閉器の可動接触子を他方の選択端子部と接続させた状態を示した概念図である。図４及び図５に示した概略図から理解されるように、切替開閉器１０１は、可動接触子３により選択的に切り替えて接続される選択端子部を備えている。また、可動接触子３と常に接続されている共通端子部を備えている。
【００１６】
本実施の形態においては、ケース１１の一方側に構成された端子部９１は、差し込み口を備えるプラグ端子であり、可動接触子３により選択的に切り替えて接続される選択端子部である。また、ケース１１の他方側に構成された端子部９２は、電線とねじ固定されるものであり、可動接触子３により選択的に切り替えて接続される選択端子部である。ケース１１の他方側に構成された端子部９３は電線とねじ固定されるものであり、可動接触子３と常に接続されている共通端子部である。本実施の形態においては、端子部９２は下方側に配置されるように構成され、端子部９３は上方側に配置されるように構成されている。また、図１、図２及び図６に示されている事項から理解されるように、端子部９３は端子部９２よりも端子部９１寄りに配置されている。
【００１７】
本実施の形態においては、図６に太矢印で示した方向がケース１１の長手方向であり、ハンドル１２の操作方向でもある。このハンドル１２の操作方向の一端側には、一極当たり一つの端子部９１を備えている。また、ハンドル１２の操作方向の他端側には、一極当たり二つの端子部９２，９３を備えている。また、可動接触子３により切り替えて接続される選択端子部を、ケース１１の一方側と他方側の双方に備えている。ハンドル１２の操作方向の両端側に選択端子部が配置されていると、ケース１１の内側で動く切替機構を、より簡易な構成とすることが可能となる。
【００１８】
次に第二の実施の形態について説明する。第一の実施の形態との主な相違点は端子部９２の位置である。図示はしないが、本実施の形態においても、ケース１１の一方側に備えた一極当たり一つの端子部９１は、可動接触子３により切り替えて接続される選択端子部である。また、ケース１１の他方側に備えた一極当たり二つの端子部９２，９３の一方は可動接触子３により切り替えて接続される選択端子部であり、ケース１１の他方側に備えた一極当たり二つの端子部の他方は可動接触子３と常に接続されている共通端子部である。
【００１９】
図７に示すように、本実施の形態では、ケース１１の他方側に備えた選択端子部と共通端子部は、ケース１１の長手方向に対して略同一となる位置に配置されている。つまり、平面視でケース１１の長手方向に対して直交する直線上に並ぶように、端子部９２と端子部９３が配置されている。したがって、他方の選択端子部側に十分な配線スペースを確保することが可能となる。また、分岐ブレーカ群の設置スペースに切替開閉器２０１を設定した場合であっても、分電盤の筐体と切替開閉器２０１との間のスペースを確保することが可能となる。なお、本実施の形態では、ケース１１の他方側に備えた選択端子部と共通端子部は、ケース１１の一方側の端面１８からの距離が略同一となる位置に配置されている。また、他方側の端面１９に沿って配置されている。
【００２０】
本実施の形態においては、図７に太矢印で示した方向がケース１１の長手方向であり、ハンドル１２の操作方向でもある。このハンドル１２の操作方向の一端側には、一極当たり一つの端子部９１を備えている。また、ハンドル１２の操作方向の他端側には、一極当たり二つの端子部９２，９３を備えている。なお、図８に示すように、本実施の形態においては、端子部９２は下方側に位置するように構成され、端子部９３はそれより上方側に位置するように構成されている。
【００２１】
次に第三の実施の形態について説明する。第一の実施の形態との主な相違点は端子部９１の位置である。図９に示すように、本実施形態の切替開閉器３０１では、ケース１１の一方側において、端子部９１がケース１１の高さ方向に一列に並ぶように配置されている。この端子部９１は、可動接触子３により切り替えて接続される選択端子部である。また、図示はしないが、本実施の形態においても、ケース１１の他方側には、一極当たり二つの端子部９２，９３を備えている。その一方は可動接触子３により切り替えて接続される選択端子部であり、他方は可動接触子３と常に接続されている共通端子部である。この実施形態ではケース１１は一体型で分割不能な構造とすることができる。
【００２２】
ここで、切替開閉器１０１を分電盤１０に組み込んだ例を、図１０を用いて説明する。分電盤１０には商用電源５１に接続される主幹ブレーカ４５を備えている。主幹ブレーカ４５は、第一の母線バー４２などを介して、第一負荷用ブレーカ２５に接続される。本実施形態においては、第一負荷用ブレーカ２５の集合体である第一負荷用分岐ブレーカ群２２の分岐列に切替開閉器１０１が配置されている。本実施形態の切替開閉器１０１は、差し込み口を備えるプラグ端子である端子部９１を備えており、この端子部９１を介して、第一の母線バー４２に接続される。本実施形態の切替開閉器１０１には、電線を接続可能な端子部９２が備えられており、蓄電池５２と切替開閉器１０１は、電線を介して接続されている。また、本実施形態の切替開閉器１０１には、第二負荷用主幹ブレーカ４６に接続される端子部９３も備えている。なお、本実施形態の切替開閉器１０１は、商用電源５１と分散電源を切り替えるために使用される。
【００２３】
本実施形態においては、切替開閉器１０１を第一負荷用分岐ブレーカ群２２の分岐列に組み込み、第二負荷用主幹ブレーカ４６を第二負荷用ブレーカ２６の集合体である第二負荷用分岐ブレーカ群２３の分岐列に組み込んだ構成である。このため、切替開閉器１０１及び第二負荷用主幹ブレーカ４６を設置するためのスペースを第一負荷用分岐ブレーカ群２２と第二負荷用分岐ブレーカ群２３との間に設ける必要がなく、分電盤１０の幅を抑制することが可能となる。また、切替開閉器１０１をプラグ端子を介して第一の母線バー４２に接続し、また、第二負荷用主幹ブレーカ４６をプラグ端子を介して第二の母線バー４３に接続することで、分電盤１０に必要となる配線スペースを抑制することが可能となる。
【００２４】
以上、いくつかの実施の形態について説明してきたが、本発明は上記実施の形態に限定されることはなく、各種の態様とすることが可能である。例えば、本実施の形態ではケースの一方側に設けられた端子部を選択端子部として構成しているが、共通端子部とすることも可能である。この場合、ケースの他方側に設けられた二つのねじ端子の双方が選択端子部となる。
【００２５】
商用電源を共通端子部に入力し、各々の選択端子部に接続された負荷を使用状況に応じて切り替えるようにして、切替開閉器を使用することも可能である。
【００２６】
切替開閉器の連結は任意であり、連結をしないで用いることや、二つ若しくは四つ以上の連結とすることも可能である。
【００２７】
切替開閉器は一極毎にケースで覆われている構成に限ることは無い。一つのケースに複数極を収め単一のハンドルとする構成とすることも可能である。また、端子部９１の左右方向の位置は特に限定されない。
【００２８】
分散電源を共通端子部に入力し、一方の選択端子部には一般負荷を接続し、他方の選択端子部には特定負荷を接続することも可能である。このようにすれば、通常時は分散電源から一般負荷に電源を供給する一方、停電が生じた場合には、切り替えにより、分散電源から特定負荷に電源を供給することが可能となる。
【符号の説明】
【００２９】
３  可動接触子
１１  ケース
１２  ハンドル
１９  端面
９１  端子部
９２  端子部
９３  端子部
１０１  切替開閉器
２０１  切替開閉器
３０１  切替開閉器
【図１】
0006762660.tif 000002
【図２】
0006762660.tif 000003
【図３】
0006762660.tif 000004
【図４】
0006762660.tif 000005
【図５】
0006762660.tif 000006
【図６】
0006762660.tif 000007
【図７】
0006762660.tif 000008
【図８】
0006762660.tif 000009
【図９】
0006762660.tif 000010
【図１０】
0006762660.tif 000011